【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
エネルギービーム（４）によって固化することができる造形材料（３）の層を連続して層ごとに選択的に照射及び固化することによって３次元の物体（２）を付加製造する装置（１）であって、
−  支持構造（５）と、
−  前記支持構造（５）によって支持されている前記装置（１）の少なくとも１つの機能ユニット（６〜１０）とを備え、
−  前記少なくとも１つの機能ユニット（６〜１０）は、前記支持構造（５）に対して可動に支持され、それによって前記少なくとも１つの機能ユニット（６〜１０）は、前記少なくとも１つの機能ユニット（６〜１０）が前記支持構造（５）の内側に位置決めされる動作位置と、前記少なくとも１つの機能ユニット（６〜１０）の少なくとも一部が前記支持構造（５）の外側に位置決めされる保守位置との間で可動に支持され、
前記少なくとも１つの機能ユニット（６〜１０）は、第１の機能ユニット（６）であり、
前記第１の機能ユニット（６）は、プロセスチャンバ・ユニットであり、
前記第１の機能ユニット（６）は、前記第１の機能ユニット（６）が前記保守位置に位置決めされているときに保守スタッフによってアクセス可能な少なくとも１つの保守用開口（１５）を備える、装置。
【請求項２】
前記支持構造（５）は、少なくとも１つの開口（１０）を備え、前記少なくとも１つの機能ユニット（６〜１０）のそれぞれは、前記それぞれの動作位置から前記それぞれの保守位置又はその逆へ動くとき、前記開口（１０）を通過することができる、請求項１に記載の装置。
【請求項３】
少なくとも１つのさらなる機能ユニット（７〜１０）は、
前記装置（１）の造形平面内に造形材料層を塗布する造形材料塗布ユニット、又は
前記装置（１）の前記造形平面内に塗布された造形材料層を選択的に照射する照射ユニット、又は
前記装置（１）又は前記装置（１）の動作中に付加造形される３次元の物体（２）の動作に関係する少なくとも１つの化学的及び／若しくは物理的な数量を検出する検出ユニット、又は
さらなる機能ユニットを支持する支持ユニットである、
請求項１又は請求項２に記載の装置。
【請求項４】
前記第１の機能ユニット（６）が、前記支持構造（５）によって支持され、
前記少なくとも１つのさらなる機能ユニット（７〜１０）が、前記第１の機能ユニット（６）によって支持される、
請求項３に記載の装置。
【請求項５】
前記第１の機能ユニット（６）は、前記支持構造（５）に対して可動に支持され、それによって前記第１の機能ユニット（６）は、前記第１の機能ユニット（６）が前記支持構造（５）の内側に位置決めされる動作位置と、前記第１の機能ユニット（６）の少なくとも一部が前記支持構造（５）の外側に位置決めされる保守位置との間で可動に支持され、
前記少なくとも１つのさらなる機能ユニット（７〜１０）は、前記第１の機能ユニット（６）に対して可動に支持され、それによって前記少なくとも１つのさらなる機能ユニット（７〜１０）は、前記少なくとも１つのさらなる機能ユニット（７〜１０）が前記第１の機能ユニット（６）に対して第１の距離及び／又は向きで位置決めされる動作位置と、前記少なくとも１つのさらなる機能ユニット（７〜１０）が前記第１の機能ユニット（６）に対して第２の距離及び／又は向きで位置決めされる保守位置との間で可動に支持され
る、請求項４に記載の装置。
【請求項６】
前記第１の機能ユニット（６）は、少なくとも１つの第１の運動経路内で可動に支持され、前記少なくとも１つのさらなる機能ユニット（７〜１０）は、さらなる運動経路内で可動に支持され、それによって前記さらなる運動経路は、前記第１の運動経路とは異なる、請求項５に記載の装置。
【請求項７】
前記少なくとも１つのさらなる機能ユニット（７〜１０）をロックするロックデバイスを備える、請求項４〜請求項６の何れか１項に記載の装置。
【請求項８】
前記第１の機能ユニット（６）の位置を検出する位置検出デバイスを備え、それによって前記ロックデバイスは、前記第１の機能ユニット（６）が前記動作位置に位置決めされたことを前記位置検出デバイスが検出したとき、前記少なくとも１つのさらなる機能ユニット（７〜１０）をロックするように動作可能になる、請求項７に記載の装置。
【請求項９】
動作位置と保守位置との間又はその逆へ前記少なくとも１つの機能ユニット（６〜１０）の運動を案内する案内デバイス（１２）を備える、請求項１〜請求項８の何れか１項に記載の装置。
【請求項１０】
前記案内デバイス（１２）は、少なくとも一部が前記動作位置と前記保守位置との間に延長可能であり又は延長している少なくとも１つの案内要素（１２ａ）を備える、請求項９に記載の装置。
【請求項１１】
前記少なくとも１つの案内要素（１２ａ）は、長手方向の案内要素である、請求項１０に記載の装置。
【請求項１２】
エネルギービーム（４）によって固化することができる造形材料（３）の層を連続して層ごとに選択的に照射及び固化することによって３次元の物体（２）を付加製造する装置（１）であって、
−  支持構造（５）と、
−  前記支持構造（５）によって支持されている前記装置（１）の少なくとも１つの機能ユニット（６〜１０）とを備え、
−  前記少なくとも１つの機能ユニット（６〜１０）は、前記支持構造（５）に対して可動に支持され、それによって前記少なくとも１つの機能ユニット（６〜１０）は、前記少なくとも１つの機能ユニット（６〜１０）が前記支持構造（５）の内側に位置決めされる動作位置と、前記少なくとも１つの機能ユニット（６〜１０）の少なくとも一部が前記支持構造（５）の外側に位置決めされる保守位置との間で可動に支持され、
前記少なくとも１つの機能ユニット（６〜１０）は、第１の機能ユニット（６）であり、
前記第１の機能ユニット（６）は、プロセスチャンバ・ユニットであり、
前記機能ユニット（６〜１０）を動作位置と保守位置との間又はその逆へ駆動する駆動デバイスを備える、装置。
【請求項１３】
エネルギービーム（４）によって固化することができる造形材料（３）の層を連続して層ごとに選択的に照射及び固化することによって３次元の物体（２）を付加製造する装置（１）であって、
−  支持構造（５）と、
−  前記支持構造（５）によって支持されている前記装置（１）の少なくとも１つの機能ユニット（６〜１０）とを備え、
−  前記少なくとも１つの機能ユニット（６〜１０）は、前記支持構造（５）に対して可動に支持され、それによって前記少なくとも１つの機能ユニット（６〜１０）は、前記少なくとも１つの機能ユニット（６〜１０）が前記支持構造（５）の内側に位置決めされる動作位置と、前記少なくとも１つの機能ユニット（６〜１０）の少なくとも一部が前記支持構造（５）の外側に位置決めされる保守位置との間で可動に支持され、
前記少なくとも１つの機能ユニット（６〜１０）は、第１の機能ユニット（６）であり、
前記第１の機能ユニット（６）は、プロセスチャンバ・ユニットであり、
前記保守位置は、前記少なくとも１つの機能ユニット（６〜１０）が地面（Ｇ）の上に垂れ下がる垂下位置である、装置。
【請求項１４】
請求項１〜請求項１３の何れか１項に記載の装置（１）の少なくとも１つの機能ユニット（６〜１０）を支持する支持構造（５）であって、少なくとも１つの機能ユニット（６〜１０）を、前記少なくとも１つの機能ユニット（６〜１０）が前記支持構造（５）の内側に位置決めされる動作位置と、前記少なくとも１つの機能ユニット（６〜１０）の少なくとも一部が前記支持構造（５）の外側に位置決めされる保守位置との間で可動に支持するように構成された支持構造。
【請求項１５】
請求項１〜請求項１３の何れか１項に記載の３次元の物体（２）を付加製造する装置（１）の保守、修理、又は設置を実行する方法であって、
前記支持構造（５）に対して可動に支持されている前記少なくとも１つの機能ユニット（６〜１０）を、前記少なくとも１つの機能ユニット（６〜１０）が前記支持構造（５）の内側に位置決めされる動作位置から、前記少なくとも１つの機能ユニット（６〜１０）の少なくとも一部が前記支持構造（５）の外側に位置決めされる保守位置へ動かすステップ、及び／又は
前記支持構造（５）に対して可動に支持されている前記少なくとも１つの機能ユニット（６〜１０）を、前記少なくとも１つの機能ユニット（６〜１０）の少なくとも一部が前記支持構造（５）の外側に位置決めされる保守位置から、前記少なくとも１つの機能ユニット（６〜１０）が前記支持構造（５）の内側に位置決めされる動作位置へ動かすステップを含む方法。